(57)【要約】【課題】容器内に貯留した液体を簡単な構造で対象物に供給することができる潅水器の部品および同部品を備えた潅水器を提供する。【解決手段】潅水器１００は、部品としてのエア導入弁１１０および導水体１３０とが容器１０１に取り付けられて構成されている。容器１０１は、供給液体Ｗを貯留するペットボトルである。エア導入弁１１０は、エア導入体１１１とエア調節操作子１２１とで構成されている。エア導入体１１１は、筒状のエア流通管部１１２の側面にエア導入孔１１３が形成されているとともに開口部端面に螺旋状の操作子摺動面１１４が形成されている。エア調節操作子１２１は、エア流通管部１１２内にてエア導入孔１１３を塞ぐ嵌合軸部１２２を備えるとともに同嵌合軸部１２２の端部側に形成された胴部１２３の端面に操作子摺動面１１４に沿った螺旋状の導入体摺動面１２４が形成されている。導水体１３０は、容器１０１の底部１０３に挿し込まれている。【選択図】  図１
0003167781.tif 000002
【実用新案登録請求の範囲】
【請求項１】
容器内に貯留した液体を対象物に供給する潅水器の部品であって、
前記容器内に空気を導く筒状のエア流通管部に、同エア流通管部の外周面と内周面とを貫通するエア導入孔、および同エア流通管部内に連通する開口部端面を螺旋状に形成した操作子摺動面がそれぞれ形成されたエア導入体と、
前記エア流通管部内に摺動可能に嵌合するとともに前記エア導入孔を塞ぐ長さに形成された嵌合軸部、および同嵌合軸部の一方の端部側に前記操作子摺動面に沿う螺旋状に形成された導入体摺動面を有したエア調節操作子とを備えることを特徴とする潅水器の部品。
【請求項２】
請求項２に記載した潅水器の部品において、さらに、
前記エア導入体は、前記容器の口部に接続される接続部を有することを特徴とする潅水器の部品。
【請求項３】
請求項１または請求項２に記載した潅水器の部品において、さらに、
前記容器内に連通して同容器内の液体を流出させるための筒状および／または繊維質からなる導水体を備えることを特徴とする潅水器の部品。
【請求項４】
請求項１ないし請求項３のうちのいずれか１つに記載した潅水器の部品において、さらに、
前記操作子摺動面および前記導入体摺動面に、互いに嵌り合う一対の凸部と凹部とからなる位置決め体がそれぞれ形成されていることを特徴とする潅水器の部品。
【請求項５】
容器内に貯留した液体を対象物に供給するための潅水器であって、
前記容器に、前記請求項１ないし前記請求項４のうちのいずれか１つに記載した潅水器の部品を設けたことを特徴とする潅水器。
【考案の詳細な説明】
【技術分野】
【０００１】
本考案は、容器内に貯留した液体を対象物に供給する潅水器の部品および同部品を備えた潅水器に関する。
【背景技術】
【０００２】
従来から、動植物などの対象物に栽培や飼育のために潅水する潅水器がある。例えば、本考案者は、下記特許文献１に示すように、ペットボトルの口部にペットボトル内への空気の流入量を調節可能なエア導入弁を取り付けるとともにペットボトルの底部にペットボトル内の水を流出させるための導水管を取り付けた構成の潅水装置を提案した。この場合、潅水装置を構成するエア導入弁は、ペットボトルの口部にネジ嵌合する筒状のエア導入体と、このエア導入体に形成されたエア導入孔を開放および閉塞するための軸状のエア調節操作子とで構成されている。
【先行技術文献】
【特許文献】
【０００３】
【特許文献１】実用新案登録第３１６４２５１号公報
【０００４】
しかしながら、上記特許文献１に示した潅水装置においては、エア導入体およびエア調節操作子にそれぞれ相手部材に連結するための雌ネジまたは雄ネジからなるネジ部を成形する必要があるため、エア導入弁の製造に手間とコストが掛かるという問題があった。なお、上記特許文献１には、ペットボトルの口部にエア導入孔を設けることによってエア導入弁をエア調節操作子のみで構成した潅水装置も開示されている。しかし、このようなエア調節操作子のみでエア導入弁を構成した潅水装置においては、ペットボトルにおける円筒状の口部にエア導入孔を形成しなければならず、エア導入弁を利用するための下準備が極めて煩雑であるという問題があった。
【考案の概要】
【０００５】
本考案は上記問題に対処するためなされたもので、その目的は、容器内に貯留した液体を簡単な構造で対象物に供給することができる潅水器の部品および同部品を備えた潅水器を提供することにある。
【０００６】
上記目的を達成するため、請求項１に係る本考案の特徴は、容器内に貯留した液体を対象物に供給する潅水器の部品であって、容器内に空気を導く筒状のエア流通管部に、同エア流通管部の外周面と内周面とを貫通するエア導入孔、および同エア流通管部内に連通する開口部端面を螺旋状に形成した操作子摺動面がそれぞれ形成されたエア導入体と、エア流通管部内に摺動可能に嵌合するとともにエア導入孔を塞ぐ長さに形成された嵌合軸部、および同嵌合軸部の一方の端部側に操作子摺動面に沿う螺旋状に形成された導入体摺動面を有したエア調節操作子とを備えることにある。
【０００７】
このように構成した請求項１に係る本考案の特徴によれば、潅水器の部品は、液体を収容する容器内に連通した状態で取り付けられて容器内に空気を導くエア導入体と、同エア導入体のエア流通管部内に嵌合して同エア流通管部の側面に設けられたエア導入孔を塞ぐ嵌合軸部を備えるエア調節操作子とで構成されている。そして、エア導入体およびエア調節操作子は、互いに突き当る各突き当たり面に互いに嵌り合う螺旋状の操作子摺動面および導入体摺動面がそれぞれ形成されている。したがって、エア調節操作子が回動操作されると操作子摺動面上の導入体摺動面が操作子摺動面に沿って変位するため、エア流通管部内の嵌合軸部がエア流通管部の軸線方向に沿って変位する。これにより、嵌合軸部によるエア導入孔の閉塞状態が変化するため、容器内に導入される空気量が調節される。すなわち、嵌合軸部は、従来のネジ嵌合に比べて簡易な構成の互いに螺旋状に形成された操作子摺動面および導入体摺動面によって変位する。この結果、潅水器は、従来に比べて簡単な構造で容器内に貯留した液体を対象物に供給することができる。
【０００８】
また、請求項２に係る本考案の他の特徴は、前記潅水器の部品において、さらに、エア導入体は、前記容器の口部に接続される接続部を有することにある。
【０００９】
このように構成した請求項２に係る本考案の他の特徴によれば、潅水器の部品は、さらに、エア導入体が容器の口部に接続される接続部を有して構成されている。この場合、接続部は、容器の口部に対応する形状に形成されている。例えば、容器がペットボトルである場合には、エア導入体に形成された接続部は、ペットボトルの口部に形成された雄ネジに対応する雌ネジで構成される。これにより、潅水器の部品は、ペットボトルなど様々な容器に取り付けられて潅水器を構成することができる。すなわち、潅水器の部品は、液体を貯留可能な容器を潅水器として利用することができるアダプタとして用いることができる。
【００１０】
また、請求項３に係る本考案の他の特徴は、前記潅水器の部品において、さらに、容器内に連通して同容器内の液体を流出させるための筒状および／または繊維質からなる導水体を備えていることにある。
【００１１】
このように構成した請求項３に係る本考案の他の特徴によれば、潅水器の部品は、容器内に連通して同容器内の液体を流出させるための筒状および／または繊維質からなる導水体を備えている。この場合、筒状の導水体とは、例えば、容器内の液体を容器外に導く管状体である。また、繊維質の導水体とは、例えば、毛細管現象を利用して容器内の液体を容器外に導く繊維の束である。これによれば、容器の底部に単に孔を設けた場合に比べて、容器内の液体を任意の場所に導くことができる。
【００１２】
また、請求項４に係る本考案の他の特徴は、前記潅水器の部品において、さらに、操作子摺動面および導入体摺動面に、互いに嵌り合う一対の凸部と凹部とからなる位置決め体がそれぞれ形成されていることにある。
【００１３】
このように構成した請求項４に係る本考案の他の特徴によれば、潅水器の部品は、操作子摺動面および導入体摺動面に、互いに嵌り合う一対の凸部と凹部とからなる位置決め体がそれぞれ形成されている。具体的には、例えば、位置決め体は、凸部が操作子摺動面または導入体摺動面の表面から角柱状、角錐状または半球状に突出して形成されるとともに、凹部が導入体摺動面または操作子摺動面の表面から前記凸部に対応する半球状の凹みで構成される。したがって、凸部が凹部に嵌まり込むことにより、エア調節操作子のエア導入体に対する回転方向の位置が固定されるため、容器からの液体の流出量を所定量に調節し易いとともに調節された流出量を精度良く維持することができる。
【００１４】
また、本考案は、潅水器の部品の考案として実施できるだけでなく、同部品を備えた潅水器の考案としても実施できるものである。
【００１５】
具体的には、請求項５に示すように、容器内に貯留した液体を対象物に供給するための潅水器であって、容器に、前記請求項１ないし前記請求項４のうちのいずれか１つに記載した潅水器の部品を設けるとよい。これによれば、前記潅水器の部品と同様の作用効果が期待できる。
【図面の簡単な説明】
【００１６】
【図１】本考案の一実施形態に係る潅水器の部品および同部品を備えた潅水器の外観構成の概略を模式的に示す一部破断断面図である。
【図２】図１に示す潅水器の部品であるエア導入体の外観を概略的に示す斜視図である。
【図３】図１に示す潅水器の部品であるエア調節操作子の外観を概略的に示す斜視図である。
【図４】図１に示す潅水器におけるエア導入孔の３つの開度ごとの容器内に貯留された供給液体の量と日数との関係を示すグラフである。
【図５】エア導入孔の開度が５０％時における潅水器のエア導入弁の状態を示す一部断面図である。
【図６】エア導入孔の開度が１００％時における潅水器のエア導入弁の状態を示す一部断面図である。
【図７】本考案の変形例に係るエア導入体の外観を概略的に示す斜視図である。
【図８】本考案の変形例に係るエア調節操作子の外観を概略的に示す斜視図である。
【考案を実施するための形態】
【００１７】
以下、本考案に係る潅水器の部品および同部品を備えた潅水器の一実施形態について図面を参照しながら説明する。図１は、本考案に係る潅水器の部品を備えた潅水器１００の構成の概略を模式的に示す一部破断断面図である。なお、本明細書において参照する各図は、本考案の理解を容易にするために一部の構成要素を誇張して表わすなど模式的に表している。このため、各構成要素間の寸法や比率などは異なっていることがある。本実施形態に係る潅水器１００は、植物の栽培する土の地面Ｇ上に置かれてこの地面Ｇの土中に所定量ずつの水を供給するものである。
【００１８】
（潅水器１００の構成）
潅水器１００は、容器１０１を備えている。容器１０１は、潅水の対象物（図示せず）に供給する液体である供給液体Ｗを貯留するための樹脂製の入れ物である。本実施形態においては、２リットル容量の使用済みのペットボトルを容器１０１として用いる。この容器１０１には、容器１０１内の収容物である供給液体Ｗを出し入れする口部１０２にエア導入弁１１０が設けられているとともに、容器１０１の底部１０３に導水体１３０が設けられている。
【００１９】
エア導入弁１１０は、容器１０１内に導入する空気量を調節するための樹脂製の器具であり、エア導入体１１１とエア調節操作子１２１とによって構成されている。エア導入体１１１は、図２に示すように、エア導入体１１１の外部から空気を取り込むとともに、この取り込んだ空気を容器１０１内に導くための部品であり、外径および内径がそれぞれ異なる大小２つの円筒体によって構成されている。具体的には、エア導入体１１１は、小さい側の外径の円筒体で構成されたエア流通管部１１２と大きい側の外径の円筒体で構成された接続部１１５とが一体的に成形されて構成されている。
【００２０】
エア流通管部１１２は、外部から取り込んだ空気を容器１０１内に導くための管路を構成する部材である。このエア流通管部１１２の側面には、外周面と内周面とに貫通した状態でエア導入孔１１３が形成されている。エア導入孔１１３は、エア流通管部１１２内に空気を導入するための貫通孔であり、エア流通管部１１２の軸線方向（図示上下方向）に延びる長孔で構成されている。本実施形態においては、エア導入孔１１３は、幅が約０.５ｍｍ、長さが約６ｍｍにそれぞれ形成されている。
【００２１】
また、エア流通管部１１２の一方（図示上側）の開口部端面には、操作子摺動面１１４が形成されている。操作子摺動面１１４は、エア調節操作子１２１を支持しつつエア導入体１１１に対する図示上下方向の位置を規定するための面状部分であり、図示上下方向に沿って螺旋状に延びて形成されている。本実施形態においては、操作子摺動面１１４は、時計回り（右回り）で図示上方に向かって螺旋状に延びて形成されている。ただし、この操作子摺動面１１４の形成の方向は、反時計回りに図示上方に向かって螺旋状に延びて形成されていてもよい。
【００２２】
一方、エア流通管部１１２における他方（図示下側）の開口部側には、接続部１１５が設けられている。接続部１１５は、エア導入体１１１を容器１０１の口部１０２に接続するための円筒状の部分であり、その内周面に容器１０１の口部１０２の外周部に形成された雄ネジ１０２ａに噛み合う雌ネジ１１５ａが形成されている。
【００２３】
エア調節操作子１２１は、図３に示すように、エア導入体１１１内に導入される空気量を調節するための部品であり、３つの異なる外径の軸状体によって構成されている。具体的には、エア調節操作子１２１は、最も小さい外径に形成された嵌合軸部１２２と、嵌合軸部１２２より一回り大きな外径に形成された胴部１２３と、および最も大きい外径に形成された把持部１２５とが一体的に成形されて構成されている。
【００２４】
嵌合軸部１２２は、前記エア導入体１１１におけるエア流通管部１１２に形成されたエア導入孔１１３を塞ぐための軸状部分である。この嵌合軸部１２２は、エア流通管部１１２の内径に対してエア流通管部１１２内の気密性を確保できる所定のすきま嵌めとなる外径で形成されるとともに、エア流通管部１１２に最も深く入り込んだ状態でエア導入孔１１３の図示下端部に達する長さで形成されている。
【００２５】
嵌合軸部１２２における一方（図示上方）の端部側には、胴部１２３が形成されている。胴部１２３は、エア導入体１１１の外径と略同じ外径に形成された軸状部分である。この胴部１２３における嵌合軸部１２２側（図示下方）の端面には、導入体摺動面１２４が形成されている。導入体摺動面１２４は、嵌合軸部１２２のエア流通管部１１２内における位置をエア導入体１１１の操作子摺動面１１４とともに規定する面状部分であり、前記操作子摺動面１１４に沿う螺旋状で図示上下方向に延びて形成されている。
【００２６】
本実施形態においては、導入体摺動面１２４は、時計回り（右回り）に図示上方に向かって螺旋状に延びて形成されている。ただし、この操作子摺動面１１４の形成の方向も、前記操作子摺動面１１４と同様に、反時計回りに図示上方に向かって螺旋状に延びて形成されていてもよいことは当然である。なお、本実施形態においては、操作子摺動面１１４および導入体摺動面１２４は、約１１.２５°の角度で傾斜して形成されることにより１周でエア導入孔１１３の長さ分だけ両端部が図示上下方向にずれるように形成されている。
【００２７】
また、胴部１２３における一方（図示上方）の端部側には、把持部１２５が形成されている。把持部１２５は、エア調節操作子１２１をユーザが把持して回動操作するための持ち手部分である。この把持部１２５は、胴部１２３から張り出したフランジ状の円柱形状に形成されている。
【００２８】
一方、容器１０１の底部１０３に設けられた導水体１３０は、容器１０１内に貯留された供給液体Ｗを潅水器１００が設置された地面Ｇの土中に導くための流路を構成する樹脂製の部品であり、導水管１３１と導水布１３２とで構成されている。導水管１３１は、管状に形成されており、一方（図示上方）の端部が容器１０１の底部１０３に貫通して容器１０１内に突出しているとともに、他方（図示下方）の端部が尖った形状に形成されている。また、この導水管１３１には、外周面における一方（図示上方）の端部側に導水管１３１の容器１０１内への過剰な入り込みを防止するためのフランジ状の止め部１３１ａが形成されているとともに、導水管１３１の内部に導水布１３２が設けられている。
【００２９】
導水布１３２は、容器１０１内に貯留された供給液体Ｗを毛細管現象を利用して容器１０１の外に導くための長尺の布部材あり、両端部が前記導水管１３１の両側開口部からそれぞれ突出した状態で導水管１３１内に収容されている。この導水布１３２は、導水管１３１の両側開口部から突出した両端部に結び目がそれぞれ形成されており、導水管１３１からの抜け落ちが防止されている。本実施形態においては、導水布１３２は、長尺状の麻布を捻って形成されている。
【００３０】
（潅水器１００の作動）
次に、このように構成された潅水器１００の作動について説明する。まず、潅水器１００を使用するユーザは、容器１０１、エア導入弁１１０および導水体１３０をそれぞれ用意する。この場合、導水体１３０は、導水管１３１内に導水布１３２が予め装着された状態で用意される。また、本実施形態においては、ユーザは、前記したように、２リットル容量の使用済みのペットボトルを容器１０１として用意する
【００３１】
次に、ユーザは、容器１０１の底部１０３に導水体１３０を取り付ける。具体的には、ユーザは、容器１０１の底部１０３の中央部に容器１０１内に連通する貫通孔を錐などの工具を用いて形成した後、同貫通孔内に導水管１３１の一方の端部側を挿入して接着剤などを用いて固定する。
【００３２】
次に、ユーザは、エア導入弁１１０におけるエア導入体１１１を容器１０１の口部１０２に取り付ける。具体的には、ユーザは、エア導入体１１１における接続部１１５を容器１０１の口部１０２に被せるとともに、接続部１１５の内周面に形成された雌ネジ１１５ａと容器１０１の口部１０２に形成された雄ネジ１０２ａとを噛み合わせて締める。これにより、容器１０１にエア導入体１１１および導水体１３０がそれぞれ取り付けられて潅水器１００として使用可能な状態となる。
【００３３】
次に、ユーザは、容器１０１内に対象物に供給する液体である供給液体Ｗを充填する。具体的には、ユーザは、容器１０１の口部１０２に取り付けたエア導入体１１１のエア流通管部１１２を介して供給液体Ｗを充填する。本実施形態においては、ユーザは、対象物に供給する供給液体Ｗとしての水（例えば、水道水）を容器１０１内に充填する。この場合、ユーザは、容器１０１内に貯留可能な容量の範囲内で供給液体Ｗを充填する。
【００３４】
次に、ユーザは、エア調節操作子１２１をエア導入体１１１に取り付ける。具体的には、ユーザは、エア調節操作子１２１における把持部１２５を把持して嵌合軸部１２２をエア導入体１１１のエア流通管部１１２内に挿入する。この場合、ユーザは、嵌合軸部１２２をエア流通管部１１２内に挿入しながら把持部１２５を回動操作することにより、エア導入体１１１の操作子摺動面１１４の全面に導入体摺動面１２４の全面を密着させる（図１参照）。これにより、嵌合軸部１２２の下端部がエア導入体１１１のエア流通管部１１２におけるエア導入孔１１３の下端部よりも下方に位置決めされるため、エア導入孔１１３は嵌合軸部１２２の側面によって完全に塞がれてエア導入弁１１０が閉じられた状態となる。この結果、容器１０１内は空気の流入が遮断された状態となる。
【００３５】
次に、ユーザは、潅水器１００を潅水対象となる地面Ｇに設置して使用を開始する。具体的には、ユーザは、潅水対象となる地面Ｇの地中に導水体１３０を挿し込んだ状態で容器１０１を地面Ｇ上に載置する。そして、ユーザは、潅水器１００からの潅水量を調節する。具体的には、ユーザは、エア調節操作子１２１の把持部１２５を回動操作して嵌合軸部１２２の図示上下方向の位置を変位させることによりエア導入孔１１３の開度を調節する。
【００３６】
このエア導入孔１１３の開度は、エア導入孔１１３の開放状態の程度であり容器１０１内に流入可能な空気量に対応するものである。具体的には、エア導入孔１１３の開度が増加するに従って容器１０１内に流入可能な空気量が増大するとともに開度が減少するに従って容器１０１内に流入可能な空気量が減少する。そして、潅水器１００からの潅水量である容器１０１からの供給液体Ｗの流出量は、容器１０１内に流入する空気量に対応している。したがって、ユーザは、容器１０１内に流入する空気量を規定するエア導入孔１１３の開度を調節することにより、潅水器１００からの潅水量を調節することができる。
【００３７】
本実施形態の潅水器１００におけるエア導入孔１１３の３つの開度ごとの容器１０１内に貯留された供給液体Ｗの量と日数との関係を図４に示す。図４から明らかなように、本実施形態における潅水器１００は、容器１０１内に貯留した供給液体Ｗを全て流出するまでにエア導入孔１１３の開度が０％の場合（図１参照）において約２０日、同開度が５０％の場合（図５参照）において約１０日、および同開度が１００％の場合（図６参照）において約２日弱の日数を要する。したがって、ユーザは、所望する潅水量に対応するエア導入孔１１３の開度になるようにエア調節操作子１２１を回転操作する。この場合、ユーザは、エア導入体１１１に対してエア導入操作子１２１を連続的に滑らせてエア導入孔１１３の開度を調節することができるため、潅水器１００からの潅水量を無段階で設定することができる。
【００３８】
エア導入孔１１３の開度が設定された潅水器１００は、設定された開度に応じた空気が容器１０１内に流入可能となるため、同容器１０１内に導かれる空気量に相当する量の供給液体Ｗが導水体１３０、より具体的には、導水布１３２を介して土中に流出する。これにより潅水器１００による潅水が行なわれる。そして、この潅水器１００による潅水量を変更したい場合には、ユーザは、前記と同様の要領によってエア調節操作子１２１を回転操作することによりエア導入孔１１３の開度を変更して潅水量を変更することができる。また、容器１０１内の供給液体Ｗ（本実施形態においては、水）を補給する場合には、ユーザは、エア調節操作子１２１の嵌合軸部１２３をエア流動管部１１２内から抜き取ることによりエア流動管部１１２を介して容器１０１内に供給液体Ｗを補給することができる。
【００３９】
上記作動説明からも理解できるように、上記実施形態によれば、潅水器１００の部品は、供給液体Ｗを収容する容器１０１内に連通した状態で取り付けられて容器１０１内に空気を導くエア導入体１１１と、同エア導入体１１１のエア流通管部１１２内に嵌合して同エア流通管部１１２の側面に設けられたエア導入孔１１３を塞ぐ嵌合軸部１２２を備えるエア調節操作子１２１とで構成されている。そして、エア導入体１１１およびエア調節操作子１２１は、互いに突き当る各突き当たり面に互いに嵌り合う螺旋状の操作子摺動面１１４および導入体摺動面１２４がそれぞれ形成されている。したがって、エア調節操作子１２１が回動操作されると操作子摺動面１１４上の導入体摺動面１２４が操作子摺動面１１４に沿って変位するため、エア流通管部１１２内の嵌合軸部１２２がエア流通管部１１２の軸線方向に沿って変位する。これにより、嵌合軸部１２２によるエア導入孔１１３の閉塞状態が変化するため、容器１０１内に流入可能な空気量が調節される。すなわち、嵌合軸部１２２は、従来のネジ嵌合に比べて簡易な構成の互いに螺旋状に形成された操作子摺動面１１４および導入体摺動面１２４によって変位する。この結果、潅水器１００は、従来に比べて簡単な構造で容器１０１内に貯留した供給液体Ｗを対象物に供給することができる。
【００４０】
さらに、本考案の実施にあたっては、上記実施形態に限定されるものではなく、本考案の目的を逸脱しない限りにおいて種々の変更が可能である。なお、下記変形例において、上記実施形態と同様の構成部分に同じ符号を付して、その説明は省略する。
【００４１】
例えば、上記実施形態においては、潅水器１００の部品をエア導入弁１１０と導水体１３０とで構成した。しかし、潅水器１００の部品は、少なくともエア導入弁１１０で構成されていればよい。この場合、容器１０１の底部１０３に容器１０１内に連通する貫通孔を形成することにより容器１０１内から供給液体Ｗを流出させるようにすればよい。
【００４２】
また、上記実施形態においては、容器１０１として容量が２リットルの使用済みペットボトルを用いた。しかし、容器１０１は、供給液体Ｗを貯留可能であって少なくともエア導入弁１１０が取り付け可能なものであれば、上記実施形態に限定されるものではない。例えば、容量が１８リットルのポリ容器を容器１０１として利用することもできる。
【００４３】
また、上記実施形態においては、潅水器１００の部品であるエア導入弁１１０および導水体１３０を容器１０１とは別体で構成した。しかし、潅水器１００は、これらの部品を容器１０１に対して一体成形して構成することもできる。これによれば、例えば、エア導入体１１１における接続部１１５は、エア導入体１１１が容器１０１に対して一体成形されるため不要となり、エア導入弁１１０の構成をより簡単にすることができる。
【００４４】
また、上記実施形態においては、潅水器１００によって潅水される供給液体Ｗに水を用いた。しかし、潅水器１００によって潅水される供給液体Ｗは、対象物が必要とする液体であれば、上記実施形態に限定されるものではない。例えば、水の他に各種液体肥料や各種液体飼料などを供給液体Ｗとすることができる。このように、水などの液体に何らかの物質を溶かした溶液（水溶液など）で構成した場合、潅水器１００における潅水量は、エア導入孔１１３の開度を調節する他に、供給液体Ｗの粘度や供給液体Ｗの濃度によって調節することもできる。
【００４５】
また、上記実施形態においては、導水体１３０を導水管１３１と導水布１３２とで構成した。しかし、導水体１３０は、容器１０１内の供給液体Ｗを潅水対象物に供給できる構成であれば、上記実施形態に限定されるものではない。例えば、導水体１３０を導水管１３１または導水布１３２のどちらか一方で構成することもできる。
【００４６】
また、上記実施形態においては、潅水器１００における容器１０１、エア導入弁１１０および導水管１３１を樹脂素材で構成するとともに導水布１３２を麻布でそれぞれ構成した。しかし、潅水器１００を構成する各部品の素材は、潅水器１００の用途や使用環境などの仕様に応じて適宜選定されるものであり、上記実施形態に限定されるものではない。すなわち、潅水器１００を構成する各部品、具体的には、容器１０１、エア導入弁１１０、導水管１３１および導水布１３２の素材として、例えば、各種金属、ガラス、セラミック、木材およびゴム材などを用いることができる。
【００４７】
また、上記実施形態において潅水器１００を構成する容器１０１、エア導入弁１１０および導水管１３１の大きさ、形状および各部の寸法は、潅水器１００の用途や使用環境などの仕様に応じて適宜選定されるものであり、上記実施形態に限定されるものではないことは当然である。
【００４８】
また、上記実施形態においては、エア導入体１１１におけるエア流通管部１１２の側面に長孔状のエア導入孔１１３を形成した。しかし、エア導入孔１１３は、エア流通管部１１２内に空気を流入可能に構成されていれば、上記実施形態に限定されるものではない。例えば、エア導入孔１１３は、図示水平方向またはエア流通管部１１２の側面に沿って螺旋状に延びる長孔で構成されていてもよいし、エア流通管部１１２の側面に沿って図示上下左右方向および／または螺旋状に複数の孔を形成して構成されていてもよい。
【００４９】
また、上記実施形態においては、エア導入弁１１０は、エア調節操作子１２１が図示上下方向に沿って変位するように構成した。しかし、エア導入弁１１０は、エア流通管部１１２を図示左右方向に延びて形成することにより、エア調節操作子１２１が図示左右方向に沿って変位するように構成することもできる。
【００５０】
また、上記実施形態においては、操作子摺動面１１４および導入体１２４の各表面を凹凸のない滑らかな面で構成した。しかし、操作子摺動面１１４および導入体１２４の各表面に互いに嵌り合う一対の凸部と凹部とからなる位置決め体を一組または複数組形成することができる。例えば、図７および図８には、操作子摺動面１１４の表面に凹状に凹んだ断面形状が三角形状の凹部１１６を複数形成したエア導入体１１１、および導入体摺動面１２４の表面に凸状に突出した断面形状が三角形状の凸部１２６を１つだけ形成したエア調節操作子１２１をそれぞれ示している。これによれば、凸部１２６が凹部１１６に嵌まり込むことにより、エア調節操作子１２１のエア導入体１１１に対する回転方向の位置が固定されるため、容器１０１からの液体Ｗの流出量を所定量に調節し易いとともに調節された流出量を精度良く維持することができる。
【００５１】
なお、凹部１１６および凸部１２６は、本変形例のように複数の凹部１１６に対して１つの凸部１２６が嵌合するように構成しても良いし、１つの凹部１１６に対して複数の凸部１２６が嵌合するように構成しても良い。また、さらには、複数の凹部１１６に対して複数の凸部１２６がそれぞれ嵌合するように構成することもできる。また、凹部１１６および凸部１２６の形状も、互いに嵌合し合う形状であれば良く、断面形状が三角形の他に断面形状が四角形などの多角形、角錐形、円錐形または半球形などであっても良い。また、凹部１１６を導入体摺動面１２４の表面に形成するとともに、凸部１２６を操作子摺動面１１４の表面に形成しても良い。
【符号の説明】
【００５２】
Ｇ…地面、Ｗ…供給液体、
１００…潅水器、１０１…容器、１０２…口部、１０３…底部、
１１０…エア導入弁、１１１…エア導入体、１１２…エア流通管部、１１３…エア導入孔、１１４…操作子摺動面、１１５…接続部、１１５ａ…雄ネジ、１１６…凹部、
１２１…エア調節操作子、１２２…嵌合軸部、１２３…胴部、１２４…導入体摺動面、１２５…把持部、１２６…凸部、
１３０…導水体、１３１…導水管、１３２…導水布。
【図１】
0003167781.tif 000003
【図２】
0003167781.tif 000004
【図３】
0003167781.tif 000005
【図４】
0003167781.tif 000006
【図５】
0003167781.tif 000007
【図６】
0003167781.tif 000008
【図７】
0003167781.tif 000009
【図８】
0003167781.tif 000010
【手続補正書】
【提出日】平成23年3月3日(2011.3.3)
【手続補正１】
【補正対象書類名】実用新案登録請求の範囲
【補正対象項目名】請求項２
【補正方法】変更
【補正の内容】
【請求項２】
請求項１に記載した潅水器の部品において、さらに、
前記エア導入体は、前記容器の口部に接続される接続部を有することを特徴とする潅水器の部品。